(57)【特許請求の範囲】
【請求項１】
第一のノードのポート番号が与えられた特定のポートでメッセージを受信する段階（１０１）と、
さらに特徴的な段階として、メッセージが届いたポートのポート番号を調べることによってメッセージを第一のシグナリングメッセージとして確認する段階（１０２）と、
第一のシグナリングメッセージを識別子と関連付ける段階（２０３）と、
第一のシグナリングメッセージと関連付けられた識別子を第一のノードの記憶装置に記憶する段階（２０４）と、インジケータを構成する、第一のシグナリングメッセージと関連付けられた識別子を、第二のノードに転送する段階（２０５）と、第一のシグナリングメッセージと関連付けられた識別子を第二のノードの記憶装置に記憶する段階（２０６）と、
第一のシグナリングメッセージと実質的には同じ情報をもつ第二のシグナリングメッセージを受信する段階と、第一のシグナリングメッセージについていた識別子を第一のノードの記憶装置の中から見つけ出す段階（２０７）と、
シグナリングメッセージをインジケータで置き換える段階と、インジケータを構成する関連付けられた識別子を第二のノードに転送する段階と（２０５）、
関連付けられた識別子と第二のノードの記憶装置によってシグナリングメッセージを復元する段階（２１０）からなる、ＴＣＰ／ＩＰ通信プロトコル群を用いた通信コミュニケーションネットワーク内で第一のノードからの第二のノードへシグナリングメッセージを転送する方法。
【請求項２】
請求項１記載の方法において、シグナリングメッセージは第一のシグナリングメッセージと実質上同じ情報であるとき、第一のノードの記憶装置の第一のシグナリングメッセージに関連付けられた識別子を見つけ出す段階（２０７）と、シグナリングメッセージを識別子で置き換える段階と、インジケータを構成している関連付けられた識別子を第二のノードに転送する段階（２０５）と、関連付けられた識別子と第二のノードの記憶装置によってシグナリングメッセージを復元する段階（２１０）からなる方法。
【請求項３】
請求項１に記載の方法において、第一のシグナリングメッセージを受信する前に、それぞれのハードステートが特定のシグナリングメッセージと関係しているいわゆるハードステートといわれるいくつかの状態をあらかじめ定義しておく段階と、それぞれのハードステートが固有の識別子と関連付けられる段階と、ハードステートとそれらに関連付けられた識別子が第一のノードの記憶装置と第二のノードの記憶装置に記憶される段階からなる方法。
【請求項４】
請求項２記載の方法において、受信したシグナリングメッセージがあらかじめ定義されたハードステートのうちのひとつであるとき、第一のノードの記憶装置で関係しているハードステートに関連付けられた識別子を見つけ出す段階（３０３）と、インジケータを構成している関連付けられた識別子を第二のノードへ転送する段階（３０３）と、その関連付けられた識別子と第二のノードの記憶装置によってそのシグナリングメッセージを復元する段階（３０６）からなる方法。
【請求項５】
請求項３記載の方法において、第一のハードステートは第二のハードステートがスタートすることを阻止するようあらかじめプログラムされ、転送する段階の次に、第一のハードステート（４０１）が第二のハードステート（４０２）を阻止している段階からなる方法。
【請求項６】
請求項３記載の方法において、第一のハードステートは第二のハードステートがスタートすることを阻止するようあらかじめプログラムされ、転送する段階の次に、第一のハードステート（５０１）があらかじめ定義された時間間隔で第一のハードステート（５０２）の反復を阻止している段階と、第一のハードステートの反復をとめるシグナリングメッセージ（５０６）を受信する段階からなる方法。
【請求項７】
第一のノードはシグナリングメッセージ（６０４）を確認するための手段をもち（６０１）、第一のノード（６０１）はシグナリングメッセージをインジケータで置き換えるための手段（６０７）をもち、第二のノード（６０２）はインジケータによるシグナリングメッセージを記憶する手段（６１０）をもち、第一のノード（６０１）は第一のシグナリングメッセージと識別子を関連付ける手段（６０４）をもち、第一のノード（６０１）と第二のノード（６０２）はそれぞれその第一のシグナリングメッセージとそれに関連した識別子であるインジケータを記憶するための記憶装置（６０５、６０９）をそれぞれ有していることを特徴とする、第一のノード（６０１）から第二のノード（６０２）にシグナリングメッセージを転送するための、ＴＣＰ／ＩＰ通信プロトコル群を使った通信システムで、第一のノードが第二のノードに、ポイント・ツー・ポイント・リンク（６０３）で接続されている通信システム。
【請求項８】
請求項７記載の通信システムにおいて、受け取ったシグナリングメッセージが特定のポート番号に関連付けられているので、第一のノードが受け取ったメッセージをポート番号を調べることによりシグナリングメッセージとして確認することを可能にしていることを特徴とする通信システム。
【請求項９】
請求項７または８のいずれかに記載の通信システムにおいて、第一のノードは、二番目に受け取ったシグナリングメッセージが第一のシグナリングメッセージと同じ情報価値で構成されているかどうか第一のノードの記憶装置を用いて検出する手段を有し、第一のノードは第一のノードの記憶装置によってシグナリングメッセージを識別子で置き換える手段を有していることを特徴とする通信システム。
【請求項１０】
請求項７又は８記載の通信システムにおいて、第一のノードと第二のノードはいくつかのあらかじめ定義された状態、いわゆるハードステートを記憶するための手段からなり、それぞれのハードステートは特定のシグナリングメッセージと関係し、識別子と関連付けられていることを特徴とする通信システム。
【請求項１１】
請求項９記載の通信システムにおいて、第一のハードステートは第二のハードステートがスタートすることを阻止するようあらかじめプログラムされていれば、第二のノードが最初のステートによって第二のハードステートを阻止するための手段を有することを特徴とする通信システム。
【請求項１２】
請求項９記載の通信システムにおいて、第一のハードステートは第二のハードステートがスタートすることを阻止するようあらかじめプログラムされていれば、第二のノードがあらかじめ定義された時間間隔内での第一のハードステートの反復を阻止するための手段を有することを特徴とする通信システム。
【請求項１３】
シグナリングメッセージと識別子を受信するための手段（７０３）と、通信メッセージを確認するための手段（７０６）と、通信メッセージと識別子を関連付けるための手段（７０４）と、シグナリングメッセージとその識別子を記憶するための手段（７０５）と、シグナリングメッセージとその識別子を転送するための手段（７０８）と、シグナリングメッセージを元に戻すための手段（７０９）を有することを特徴とするＴＣＰ／ＩＰ通信プロトコル群を用いた通信システムにおけるシグナリングメッセージを転送するためのノード（７０１）で、そのノード（７０１）は少なくとも他の１つのノードにポイント・ツー・ポイント・リンク（７０２）で接続されているノード（７０１）。
【発明の詳細な説明】
【０００１】
（発明の分野及び従来の技術）
本発明は、IP（インターネットプロトコル）ネットワークに関し、さらに明確には帯域幅の制限がある環境で通信する際の、転送されたデータの縮小と処理の方法に関する。
【０００２】
TCP／IP（Transmission  Control  Protocol/Internet  Protocol）通信プロトコル群は今日、IPネットワークでのデータや音声通信に大変一般的に使われているプロトコル群である。このプロトコル群は、比較的高い伝送品質を持ち、待ち時間が短く比較的広い帯域幅を持つ有線接続にたいして最適化されたものである。しかしTCP/IPは狭い帯域幅でのリンクでデータや音声を転送するためには大変効率的であるというわけではない。たとえば移動体通信のような無線リンクは狭い帯域幅でのリンクの例である。
【０００３】
TCP/IP
TCP／IP通信プロトコル群でTCPは、転送するメッセージをデータグラムすなわちサブメッセージの集まりに分割し、通信ネットワークのもう一端でもとのメッセージに再び組み立て、途中で消失したデータを再信し、メッセージの各部分を正しい順序に並べることを担っている。TCPの代わりになるUDP（User Datagram Protocol）は、データグラムが到着したかどうかによる制御することなしにデータグラムを送る。このプロトコルはIPで音声を送るときに一般的に使われている。IPはそれぞれのルーティングを担っている。IPはデータグラムがお互いにどのように関連しているかは特定しない。送信元および送信先のポート番号や、ダイヤグラムの連続番号、チェックサムや他の制御データといった詳細を把握するために、TCP/UDPではそれぞれのダイヤグラムにヘッダをつけ、ヘッダ＋データグラムという結合されたものをIPに引き渡す。そこでIPは自身のヘッダをこの“TCP／UDP−ヘッダ＋データグラム”につけるので、結果としてデータのパケットは“IP−ヘッダ＋TCP／UDP−ヘッダ＋データグラム”のようになる。文字情報について適用される場合、転送されるデータ１バイトごとに、ヘッダが４０バイトもしくはそれ以上になりうる。”データグラム“と”パケット”という単語はしばしば互換性を持って使われる。しかし、”データグラム“というのがデータの単位として正しく定義されていて、プロトコルによって取り扱われるべきものである。しかし、TCP/IPデータグラムはより小さな部分に分割される場合もあり（例えば，データグラムが比較的大きい場合）、別のヘッダがそれぞれの小さな部分すなわち”パケット“に付加される。
【０００４】
ヘッダ圧縮（Header  Compression）
帯域幅の制限を解決するためのひとつの方法は、いわゆるヘッダ圧縮という手段によって転送されるデータの量を減らすことである。
【０００５】
過去には、LAN（Local  Area  Network）で転送されるデータに必要なオーバーヘッドを制限する特別なプロトコルを開発するため、そしてある通信セッションでメッセージオーバーヘッドを最小にするために与えられたネットワークのタイプに固有な特徴を用いる試みがなされた。メッセージオーバーヘッドはヘッド情報で、メッセージのデータ部分に付与される。このようなヘッド情報はネットワークのさまざまな部分で、あるコンピューターから別のコンピューターにデータを転送するとき必要になる管理タスクと手続きタスクの追跡を可能にするために必要である。プロトコルの効率を改善するための試みとして、”低速リンクのためのTCP／IP ヘッダの圧縮”、V.ヤコブセン著、Network  Working  Group  Request for comments１１４４、１９９０年２月、にヘッダ圧縮方法論が概説されている。
【０００６】
この方法論では発信側と受信側が動的接続を常時把握する。受信者はそれぞれの通信で受け取った最後のパケットのコピーを保存する。ヘッダの一部である小さな接続識別子（８ビット以下）は変化したヘッダの一部に連携した接続の際一定であるが、圧縮はこの小さな識別子のみ転送することにより可能になる。受信側はセーブしたヘッダから一定の部分を格納する。
【０００７】
欧州特許出願番号０７０１３５４ではTCP／IPヘッダ圧縮を使う別の方法が説明されている。さらに詳細にはX.25ネットワークでのヘッダ圧縮を使う方法が示されている。
キャスナー  Sとヤコブソン  Vによる「低速連続リンクのための  IP/UDP/RTP  ヘッダの圧縮」、NETWORKING GROUP, REQUEST FOR COMMENTS:  ２５０８（オンライン）１９９９年２月、１−２２ページ  XP002121319とインターネットの検索からURL:ftp://ftp.isi.edu/in-notes/rfc2508.tx t （１９９９年１１月１日に検索）は、低速連続リンクの際オーバーヘッドを縮小するためのIP/UDP/RTPデータグラムのヘッダを圧縮する方法について述べている文献である。多くの場合、３つのヘッダすべては、２−４バイトに圧縮することができる。
ジン  ワン他による「IPでの無線通信の欠点と第三世代のネットワークデザインへのインプリケーション」、BELL LABS TECHNICAL JOURNAL、１９９８年７月―９月、LUCENT TECHNOLOGIES米国、Vol.  ３、No.  ３、７９−９７ページ、XP002121936、ISSN:１０８９−７０８９  はユーザーデータプロトコルUDP/IP  ヘッダの高圧縮について検証している文献である。
米国特許番号５２９３３７９は、データパケットを採用したデータ処理システムについて述べている。それは少なくとも、静的なフィールドと動的なフィールドを含んでいる。静的なフィールドとはマルチパケット通信インターパルの間、持っている情報が大体一定で、動的なフィールドとはそれぞれのパケットについて、持っている情報が代わるものである。多数のパケットがユーザーデータフィールドも含んでいる。圧縮方法は、第一のリージョンに静的フィールドがあり、第二のリージョンに動的フィールドがあるというようにそれぞれのデータパケットを再フォーマットする段階からなると述べられている。次は、少なくとも最初のデーターパケットの第一のパケットリージョンの静的情報を含む静的テーブルを作るというプロセスである。そして、静的テーブルの情報に共通した一連のデータパケットの第一のパケットリージョンで静的リージョンの情報を確認する。このような共通した情報はデータの長さが減るように暗号化される。そして共通の静的情報は、変更されたデータパケットで、暗号化された共通の静的情報に置き換えられ、そして変更されたデータパケットが転送される。似たようなことがユーザーデータ情報でも起こる。通信ネットワークで使われまた、圧縮がよりうまくいく原因になるパケットタイプのデータユーザー部分それぞれに、辞書テーブルが作られる一方、パケットヘッダ全部について１つの辞書が作られる。
【０００８】
音声をIPを用いて無線リンクで送るとき，可能な帯域幅と周波帯を効率的に使うことは大変重要である。IPを用いで音声を送るとき、接続を確立し、接続を監視するためにいくつかの信号が必要である。これはさらに帯域幅を使用することを意味する。パケットを基準としたサービスが使われるとき、また，衛星通信や携帯通信、無線LANなどの例のように接続を確立するために信号が必要なとき、帯域幅の制限に伴う同じ問題がすべてのリンクに発生する。ヘッダ圧縮方法論はこのタイプのトラヒックに最適ではなく、十分に効率的でもない。
【０００９】
信号トラヒックは次の点で他のトラヒックとは異なる。
・シグナリングメッセージは接続を確立、解除、制御するためのものである。
・シグナリングメッセージは、例えば呼設定や呼切断のような頻繁に行われる手順の最中に、一般には予想可能な周期で、頻繁に転送が行われる。
・例えばいわゆる接続維持メッセージのようなシグナリングメッセージは繰り返し送信される。
【００１０】
シグナリングメッセージについてのこれらの特徴は、この種のトラヒックに最適で、反復情報を圧縮するための新しいモデルが必要なことを示している。本発明はこの問題の解決となる。
【００１１】
（発明の要約）
本発明は、帯域幅が不足するリンクで、かなりの帯域幅を使用するパケットに基づくサービスに伴う問題を扱う。
【００１２】
帯域幅の制限がある状態で通信を確立するために信号が必要なとき、例えばIPを用いて無線リンクで音声を送るとき、通信能力は大量の信号のため悪化することもある。
【００１３】
本発明の目的はこのような信号にふくまれる情報の量を減らし、帯域幅を節約することである。
【００１４】
前述の問題はシグナリングメッセージがインジケータで置き換えられた通信システムによって解決される。
【００１５】
シグナリングメッセージの転送について述べる次のシナリオは、本発明の発明概念について説明するものである。
【００１６】
シグナリングメッセージは第一のノードで受信された後、確認される。そのシグナリングメッセージは同定されるとその情報により、インジケータに置き換えられ、そのインジケータが第二のノードに転送される。第二のノードではインジケータの形でシグナリングメッセージが記憶される。
【００１７】
本発明の利点は、シグナリングメッセージを転送するとき転送する必要のある情報が減るということである。
【００１８】
本発明の別の利点は、シグナリングメッセージ全体、つまりヘッダとペイロードは本発明によって縮小することが出来る。
【００１９】
本発明のまた別の利点は、シグナリングメッセージを転送するために必要な帯域幅が減ることである。つまり、帯域幅は、例えばユーザーのデータのためのトラヒックとしてまた他のシグナリングメッセージのためなど、別の目的に使うことが出来る。
【００２０】
本発明は他にも利点があり、それは接続を確立するために信号が使われるパケットを基本としたサービスを使用することを可能にした。それは今まで帯域幅が狭すぎるため不可能であった。
【００２１】
本発明のさらなる適用範囲は以下に述べる詳細な説明で明らかになるだろう。しかし、当業者にとっては、発明の詳細な説明に基づいて本発明の技術的思想の範囲内で多くの変更や改造を行うことは自明なので、発明の好ましい実施例を示すことによって行う発明の詳細な説明と具体例は説明目的だけのためのものであることを理解する必要がある。
【００２２】
（図面の簡単な説明）
図１は、本発明の一般的な方法の流れ図を例示している。
図２は、ネットワーク内のシグナリングの概要を例示している。
図３は、ノードがハードステートで事前にプログラムされたネットワーク内でのシグナリングの概要を例示している。
図４は、提案された方法による具体例の一連の図式を例示している。
図５は、提案された方法による具体例の一連の図式を例示している。
図６は、本発明によるシステムの概要を図示している。
図７は、本発明によるノードの概要を図示している。
【００２３】
（発明の実施の形態）
図１は、通信ネットワーク内でシグナリングメッセージを第一のノードから第二に転送する際の可能性のあるシナリオの流れ図を例示している。そこではTCP/IP通信プロトコル群が使われ、シグナリングメッセージは接続の確立、制御、監視そして終了に関係したメッセージであると定義されている。
【００２４】
その方法は次の段階から構成されている。
１０１  第一のノードでメッセージが受信され、そのメッセージは第二のノードに転送される予定である。
１０２  そのメッセージは、例えばシグナリングメッセージかどうか確認される。シグナリングメッセージはノードの記憶装置に登録されているものか決定するために検査も行われる。
１０３  もし、検査でシグナリングメッセージは記憶装置に登録されていることが判ったら、シグナリングメッセージをインジケータで置き換える。インジケータは例えば、識別子または識別子とシグナリングメッセージといったものでよく後述される。
１０４  インジケータは第二のノードに転送される。
１０５  第二のノードでインジケータからシグナリングメッセージに復元される。これも後述される。
【００２５】
本発明の他の実施例の詳細を説明する。
【００２６】
すべての受信するシグナリングメッセージに特定のポート番号が割り当てられていれば、第一のノードでポート番号を調べれば受信したメッセージがシグナリングメッセージかどうか知ることが出来る。UDPまたはTCPプロトコルではポート番号が割り当てられている。
【００２７】
図２は本発明の方法において、第一のノード（２０１）から第二のノード（２０２）へシグナリングメッセージを転送するとき、複数のシグナリングメッセージの情報価値が同じ場合、例えば携帯電話通話におけるスピーチコーダーに関する制御パラメーターなど、どのように処理するか図示している。セッションは、例えば電話のように、２体間のデータの交換のための論理接続と定義される。最初のシグナリングメッセージは識別子（２０３）がついている。そして識別子とシグナリングメッセージは，第一のノード（２０４）の記憶装置に記憶され、連続的に第二のノード（２０５）に送信される。ここでは識別子がインジケータ（１０３）を構成している。第二のノードはシグナリングメッセージとそれに付けられた識別子を受信し第二のノード（２０６）の記憶装置に記憶する。第一のノードで次のシグナリングメッセージが受信されると、そこでは記憶装置（２０７）に登録されている以前のシグナリングメッセージと同じ情報をもつシグナリングメッセージかどうか記憶装置を検査して確認する。もし同じ場合、ノードはインジケータ（１０３）を構成する識別子のみ第二のノード（２０８）に送信する。第二のノードで識別子（２０９）を受信すると、その識別子に対応したシグナリングメッセージを第二のノードの記憶装置から見つけ、そしてこのようにシグナリングメッセージ（２１０）を復元させる。
【００２８】
図３は本発明の方法において、第一のノード（３０１）から第二のノード（３０２）へシグナリングメッセージを転送するとき、１つ以上のシグナリングメッセージの情報価値が同じものが多数のセッションの間に頻繁に転送される場合、例えばいわゆる接続維持通話のように接続を維持する場合、どのように処理するか図示している。この場合、第一のノード（３０１）そして第二のノード（３０２）では、いくつかの状態、いわゆるハードステートをあらかじめ定義しておくことが出来る。それぞれのハードステートは特定のシグナリングメッセージに関係している。それぞれのハードステートは識別子がつけられている。ハードステートと識別子は第一のノード（３０１）の記憶装置と第二のノード（３０２）の記憶装置の両方に記憶されている。
【００２９】
第一のノード（３０１）でシグナリングメッセージが受信されると、そこでは記憶装置（３０３）に登録されているあらかじめ定義されたハードステートと同じ情報をもつシグナリングメッセージかどうか記憶装置を検査して確認する。もし同じ場合、ノードはインジケータ（１０３）を構成する識別子のみ第二のノード（３０２）に転送（３０４）する。第二のノード（３０２）で識別子（３０５）を受信すると、その識別子に対応したハードステートを第二のノードの記憶装置から見つけ、そしてこのようにシグナリングメッセージ（３０６）を復元させる。
【００３０】
図４は、第一のハードステート（４０１）が第二のハードステート（４０２）を阻止している一実施例である。もし、異なるハードステートの順序がわかっていれば、例えば呼設定のように、その順序にあるハードステートは次のハードステートが直ちにまたはあらかじめ決められた時間間隔を置いてスタートすることを阻止するようにあらかじめプログラム組むことが出来る。第一のハードステートは、第一のノード（４０４）から第二のノード（４０５）に転送（４０３）されるとき、第一の識別子で置き換えられる。第一のハードステート（４０１）が第二のノード（４０５）で復元されるとき、第二のハードステート（４０２）が、直ちにまたはあらかじめ決められた時間感覚をおいて、阻止するようにあらかじめ定義されている。第二のハードステート（４０２）は第三のハードステート（４０６）を阻止するようにあらかじめ定義されている。そして第三のハードステート（４０２）は第四のハードステート（４０７）を阻止するようにあらかじめ定義されているが、第四のハードステートはそれ以上のハードステートを阻止しないようにあらかじめ定義されている。第一のノードでは第二，第三そして第四のハードステート（４０２、４０６、４０７）のための識別子を含んでいるような情報を転送しないように、あらかじめプログラムされている。また、シグナリングメッセージでこの順序を解消することも可能である。
【００３１】
図５は本発明の方法において、第一のハードステート（５０１）が第一のハードステート（５０２）の反復を阻止しているときの実施例を図示している。もし、同じハードステートが何回か繰り返されることが判っているとき、例えば帯域幅が第一と第二のノードの間にあるとき、帯域幅を開放しておくために約３０秒ごとにシグナリングメッセージを送らなくてはならない。第一のノード（５０４）から第二のノード（５０５）へ転送されるとき（５０３）、第一のハードステートは第一の識別子で置き換えられる。第二のノード（５０５）で第一のハードステート（５０１）が復元されるとき、あらかじめ定義された間隔内、例えば受信したシグナリングメッセージ（５０６）が反復を阻止するまでの時間間隔、に第一のハードステート（５０２）が反復しないようにあらかじめ定義されている。
【００３２】
図６は本発明による通信システムを図示している。その通信システムではシグナリングメッセージを第一のノード（６０１）から第二のノード（６０２）へTCP/IPを使ったネットワークを通じて転送することが出来る。そのシステムには少なくと２つのノードがあり、第一のノード（６０１）と第二のノード（６０２）はお互いにポイント・ツー・ポイント・リンク（６０３）で接続されている。第一のノードにはシグナリングメッセージを識別子と関連付ける手段（６０４）があり、また、シグナリングメッセージとそれに関連した識別子を記憶するための記憶装置（６０５）がある。一つ以上の特定のポート番号がすべての入ってくるシグナリングメッセージに割り当てられているが，それは他のメッセージからシグナリングメッセージを区分することを可能にするためである。入ってくるシグナリングメッセージがその記憶装置（６０５）の中に登録されたシグナリングメッセージのうちの一つとおなじかどうか記憶装置（６０５）での検査で判る。第一のノードにはシグナリングメッセージをその識別子で置き換える手段（６０７）と、識別子またはシグナリングメッセージとその識別子を第二のノードに転送する手段（６０８）がある。第二のノードには、シグナリングメッセージとその識別子が転送されてきたときシグナリングメッセージとその識別子を記憶するための記憶装置（６０９）と、識別子が転送されてきたときシグナリングメッセージを復元する手段（６１０）がある。これらのノードはCPU（Central  Processor  Unit）（６１１）を持ち、ノード内のユニットを制御している。
【００３３】
実施例ではノード（６０１，６０２）には，いわゆるハードステートというあらかじめ定義された複数のステートを記憶する手段がある。それぞれのハードステートは、識別子のついた特定のシグナリングメッセージに関係している。さらに、第二のノードで、第一のハードステートによって第二のハードステートを阻止するという手段をもつ実施例や、それに代わるものとして、第二のノードであらかじめ決められた間隔内での第一のハードステートの反復を阻止するという手段をもつ実施例があり、またさらに、その２つの実施例を組み合わせたものも実施例である。
【００３４】
図７では、本発明によるシグナリングメッセージが送信可能な通信システムにおけるノードを図示している。ノード（７０１）はTCP/IP通信プロトコル群を用いたネットワーク内のユニットである。ノード（７０１）は少なくとも他の１つのノードとポイント・ツー・ポイント・リンク（７０２）で接続されている。ノードにはシグナリングメッセージ（７０３）を受信する手段と識別子とシグナリングメッセージを関連付ける手段（７０４）がある。ノード内の記憶装置（７０５）ではシグナリングメッセージとそれらに関連する識別子が記憶されている。ノードにはシグナリングメッセージを確認する手段（７０６）がある。特定のポート番号がすべての入ってくるシグナリングメッセージに割り当てられている。それは他のメッセージからシグナリングメッセージを区分することと、入ってくるシグナリングメッセージがその記憶装置（７０５）内にすでに登録されたシグナリングメッセージのうちの一つと同じかどうか記憶装置（７０５）で検査することを可能にするためである。ノードにはシグナリングメッセージをその識別子で置き換える手段（７０７）と、識別子またはシグナリングメッセージとその識別子を他のノードに転送する手段（７０８）がある。ノードには、シグナリングメッセージが置き換えられていたときにはいつでも識別子から入ってくるシグナリングメッセージを復元する手段（７０９）がある。ノードはCPU（Central  Processor  Unit）（７１０）を持ち、ノード内のユニットを制御している。
【００３５】
本発明についての以上のような説明から、本発明と同じものが多方法において多様であるだろうことは明らかだろう。そういった変化形はこの発明を発展させたものとはいえないし、すべてのそのような変更は当該分野の技術者にとって明白で、それらは次の特許請求の範囲の中に含まれるものである。
【図面の簡単な説明】
【図１】  図１は、本発明の一般的な方法の流れ図を例示している。
【図２】  図２は、ネットワーク内のシグナリングの概要を例示している。
【図３】  図３は、ノードがハードステートで事前にプログラムされたネットワーク内でのシグナリングの概要を例示している。
【図４】  図４は、提案された方法による具体例の一連の図式を例示している。
【図５】  図５は、提案された方法による具体例の一連の図式を例示している。
【図６】  図６は、本発明によるシステムの概要を図示している。
【図７】  図７は、本発明によるノードの概要を図示している。
【図１】
0004592187.tif 000002
【図２】
0004592187.tif 000003
【図３】
0004592187.tif 000004
【図４】
0004592187.tif 000005
【図５】
0004592187.tif 000006
【図６】
0004592187.tif 000007
【図７】
0004592187.tif 000008